(57)【要約】【課題】撮影モードの誤選択を防止する。【解決手段】デジタルカメラは、日中，夕暮れ／夜明け，夜間など各撮影シーンに対応した複数の撮影モード（日中撮影モード，夕暮れ／夜明けモード，夜間撮影モード）を備えている。これらの撮影モードは、撮影モード選択ダイヤルによって選択される。レリーズボタンが半押しされると、マイクロコンピュータが日時データに基づいて各撮影シーンに応じた適切な撮影モードを特定する。そして、特定した撮影モードと、ダイヤルによって選択された撮影モードとが一致しているかどうかを調べ、不一致の場合には警告する。撮影者が意図的に不適切な撮影モードを選択している場合を考慮して、警告が発せられた場合でも、レリーズボタンを全押しすれば、選択した撮影モードで撮影が実行される。【選択図】　　　　図８
2004061621.tif 000002
【特許請求の範囲】
【請求項１】
撮影シーンに応じた複数の撮影モードを備えるとともに、これら各撮影モードを選択するためのモード選択手段がカメラ本体に設けられたデジタルカメラにおいて、
前記複数の撮影モードの中から、実際に撮影される撮影シーンに応じた適切な撮影モードを特定する撮影モード特定手段と、
前記撮影モード特定手段によって特定された撮影モードと、前記モード選択操作手段によって選択された撮影モードとが一致しているかどうかを判定するモード適合判定手段と、
前記モード適合判定手段によって不一致と判定された場合に警告を発する警告手段とを設けたことを特徴とするデジタルカメラ。
【請求項２】
前記警告の際に、前記モード選択手段によって選択された撮影モードを実行するか否かを指示する指示手段を設け、この指示手段によって前記撮影モードによる撮影の実行が指示された場合には、当該撮影モードが実行されることを特徴とする請求項１記載のデジタルカメラ。
【請求項３】
撮影シーンに応じた複数の撮影モードを備えるとともに、カメラ本体に各撮影モードを選択するためのモード選択手段が設けられたデジタルカメラにおいて、
前記複数の撮影モードの中から、実際に撮影される撮影シーンに応じた適切な撮影モードを特定する撮影モード特定手段と、
前記撮影モード特定手段によって特定された撮影モードと、前記モード選択操作手段によって選択された撮影モードとが一致しているかどうかを判定するモード適合判定手段と、
前記モード適合判定手段によって不一致と判定された場合に、ズレの程度を調べる不一致レベル判定手段と、
その不一致レベルが予め設定された所定範囲を越えた場合に、適切なモードへの切り替え処理を自動的に実行するモード切り替え手段とを設けたことを特徴とするデジタルカメラ。
【請求項４】
前記複数の撮影モードには日中撮影に適した日中撮影モードと夜景撮影に適した夜景撮影モードとが含まれており、前記モード選択手段によってこれらいずれかの撮影モードが選択されている場合に、前記モード適合判定手段は、予め設定された時間データに基づいて適切な撮影モードを特定し、この特定された撮影モードと選択されたモードとが一致しているかどうかを判定することを特徴とする請求項１〜３いずれか記載のデジタルカメラ。
【発明の詳細な説明】
【０００１】
【発明の属する技術分野】
本発明は、各種の撮影シーンに応じた複数の撮影モードを選択することができるデジタルカメラに関するものであり、更に詳しくは、撮影モードの誤選択を防止するデジタルカメラに関するものである。
【０００２】
【従来の技術】
ＣＣＤなどの撮像手段によって被写体を撮像し得られた撮影画像をデジタルデータとしてメモリーカードに記録するデジタルカメラが普及している。撮影画像は、ホワイトバランス調整や色補正などの各種画像処理が施された後、メモリーカードに記録される。この画像処理は、各種の撮影シーンに応じて適切に行われることが好ましい。そのため、デジタルカメラには、各種の撮影シーンに応じて適切な画像処理が行われるように様々な工夫がなされている。
【０００３】
例えば、ホワイトバランスは、被写体の色温度の違いに応じて調整される。特開２０００−１５６８７４号公報に記載のデジタルカメラには、各撮影シーンの光源に応じた適切なホワイトバランス調整ができるように、ホワイトバランスの調整値をマニュアルで設定する機能が設けられている。しかし、マニュアルで設定する場合、設定のし忘れや設定ミスが生じやすいので、このデジタルカメラには、撮影時に被写体輝度を測定し、その被写体輝度に応じて、マニュアルで設定した値が適切か否かを調べ、著しく異なる場合には警告等を発する設定値検証機能が設けられている。こうすることで、マニュアル操作によるホワイトバランスの調整ミスを防止している。
【０００４】
また、デジタルカメラの多くには、日中撮影に適した日中撮影モード，夜間撮影に適した夜間撮影モードなど各種の撮影シーンに応じた複数の撮影モードが備えられている。カメラ本体にはこれら複数の撮影モードを選択するための操作部材として、例えば、モード選択ダイヤルが設けられており、ユーザーはこのモード選択ダイヤルを操作することによって所望の撮影モードを選択する。
【０００５】
各撮影モードでは、それぞれの撮影シーンに応じて、絞りや露出時間などの撮影条件が設定されるとともに、撮影された画像データに対して適切な画像処理が施される。また、撮影された画像がどの撮影モード下で撮影されたかという選択モード情報が、画像データとともにメモリーカードに記録される場合もあり、そのような場合には、その選択モード情報がプリントする際に参照されて、それに応じた適切なプリント処理が施される。このため、ユーザーがこれらの撮影モードを使い分けることにより、撮影シーンに応じた良好なプリントを得ることができる。
【０００６】
【発明が解決しようとする課題】
しかしながら、このようなモード選択操作もマニュアルによる操作であるため、選択操作のし忘れや選択ミスが多く、実際の撮影シーンに適合しない撮影モードで撮影されてしまうことが多かった。
【０００７】
本発明は、撮影モードの誤選択を防止するデジタルカメラを提供することを特徴とする。
【０００８】
【課題を解決するための手段】
前記目的を達成するために、本発明のデジタルカメラは、撮影シーンに応じた複数の撮影モードを備えるとともに、これら各撮影モードを選択するためのモード選択手段がカメラ本体に設けられたデジタルカメラにおいて、前記複数の撮影モードの中から、実際に撮影される撮影シーンに応じた適切な撮影モードを特定する撮影モード特定手段と、前記撮影モード特定手段によって特定された撮影モードと、前記モード選択操作手段によって選択された撮影モードとが一致しているかどうかを判定するモード適合判定手段と、前記モード適合判定手段によって不一致と判定された場合に警告を発する警告手段とを設けたことを特徴とする。
【０００９】
前記警告の際に、前記モード選択手段によって選択された撮影モードを実行するか否かを指示する指示手段を設け、この指示手段によって前記撮影モードによる撮影の実行が指示された場合には、当該撮影モードが実行されるようにしてもよい。
【００１０】
本発明の別のデジタルカメラは、撮影シーンに応じた複数の撮影モードを備えるとともに、カメラ本体に各撮影モードを選択するためのモード選択手段が設けられたデジタルカメラにおいて、前記複数の撮影モードの中から、実際に撮影される撮影シーンに応じた適切な撮影モードを特定する撮影モード特定手段と、前記撮影モード特定手段によって特定された撮影モードと、前記モード選択操作手段によって選択された撮影モードとが一致しているかどうかを判定するモード適合判定手段と、前記モード適合判定手段によって不一致と判定された場合に、ズレの程度を調べる不一致レベル判定手段と、その不一致レベルが予め設定された所定範囲を越えた場合に、適切なモードへの切り替え処理を自動的に実行するモード切り替え手段とを設けたことを特徴とする。
【００１１】
前記複数の撮影モードには、例えば、日中撮影に適した日中撮影モードと夜景撮影に適した夜景撮影モードとが含まれており、前記モード選択手段によってこれらいずれかの撮影モードが選択されている場合に、前記モード適合判定手段は、予め設定された時間データに基づいて適切な撮影モードを特定し、この特定された撮影モードと選択されたモードとが一致しているかどうかを判定する。
【００１２】
【発明の実施の形態】
図１に示すように、本発明を実施したデジタルカメラ１０の前面には、撮影レンズ１１が組み込まれたレンズ鏡筒１２、ストロボ光を発光するストロボ発光部１３が設けられている。レンズ鏡筒１２は、デジタルカメラ１０の電源がオフの時には、カメラ本体内に沈胴し、電源がオンされると、カメラ本体内から前方へ繰り出される。レンズ鏡筒１２の背後には撮像手段であるＣＣＤイメージセンサが配置されている。また、デジタルカメラ１０の側面には、メモリーカード１４がセットされるスロット１６が設けられている。
【００１３】
撮影画像データは、例えば、ＪＥＩＴＡ（電子情報技術産業協会）によって規格化されたＥＸＩＦ形式の画像ファイルに変換されて、メモリーカード１４に記録される。画像ファイルは、メモリーカード１４内で各コマを識別できるように、例えば、０００１，０００２・・・というように、ファイル名が連番で付与される。ＥＸＩＦ形式のファイルは、周知のように、ＪＰＧ形式で圧縮された画像データに、ＥＸＩＦＴＡＧデータを付加したものである。
【００１４】
ＥＸＩＦＴＡＧデータには、露出時間，絞り値，輝度値，ストロボ発光の有無など撮影条件に関する撮影条件データや、撮影された日時データ及び後述する撮影モード情報など、画像データに関連する付加的な情報が含まれる。ＥＸＩＦ形式では、画像データの形式として、圧縮形式であるＪＰＧ形式の他に、非圧縮形式であるＴＩＦＦ形式が規定されている。
【００１５】
デジタルカメラ１０の上面には、レリーズボタン１７と、このレリーズボタン１７の外周を囲むようにドーナツ形状をした撮影モード選択ダイヤル１８が設けられている。デジタルカメラ１０は、撮影シーンに応じて、複数の撮影モードを選択できるようになっている。各撮影モードは、撮影モード選択ダイヤル１８によって選択される。複数の撮影モードには、日中撮影に適した日中モード，夜間撮影に適した夜間モード，夕暮れや夜明けに適した夕暮れ／夜明けモードがある。
【００１６】
これら各撮影モードでは、各モード毎に予め設定された撮影条件に基づいて撮影が行われるとともに、各モードに応じた適切な画像処理が行われる。例えば、夜間撮影モードでは、露出時間を長くすることで夜景が写し込まれるようにするとともに、画像処理においては、低輝度に相当する部分（暗いところ）は信号レベルを上げずに、他方、高輝度に相当する部分は信号レベルを上げるなどの画像処理が行われる。こうすることで、夜空のような暗い部分と、イルミネーションなど明るい部分のコントラストを明確にすることができる。また、夕暮れ／夜明けモードでは、夕暮れや夜明けの空のぼんやりとした明るさがそのまま写し込まれるように、明るい部分の信号レベルを上げる処理は行われない。また、色温度を比較すると、日中の方が、夕暮れや夜明けよりも高い。そのため、ホワイトバランスの調整においても、各撮影モードに応じた調整値が設定されている。
【００１７】
また、画像ファイルには、どの撮影モードで撮影を行ったかを示す撮影モード情報が記録される。プリンタで画像をプリント処理する際には、この撮影モード情報が参照されて画像処理が施される。
【００１８】
図２に示すように、撮影モード選択ダイヤル１８の上面には、各撮影モードに対応したマーク１９ａ，１９ｂ，１９ｃが設けられている。マーク１９ａは日中撮影モードを、マーク１９ｂは夕暮れ撮影モードを、マーク１９ｃは夜間撮影モードをそれぞれ表す。撮影モード選択ダイヤル１８を回転操作して、各マーク１９ａ，１９ｂ，１９ｃを本体に設けられた目盛２１に合わせることで、撮影モードの選択が行われる。マーク１９ｄは、各種設定を行うセットアップモードを表すもので、このマーク１９ｄを目盛２１に合わせると、セットアップモードに移行する。
【００１９】
図３に示すように、デジタルカメラ１０の背面には、電子ビューファインダ（以下、ＥＶＦという）２６，ディスプレイ２７の他、電源ボタン２４を含む操作部２５が設けられている。撮影モードにおいては、ＥＶＦ２６には、ＣＣＤイメージセンサから出力されたスルー画像が表示される。撮影者は、このＥＶＦ２６により、撮影シーンを確認することができる。もちろん、ＥＶＦ２６の代わりに光学ファインダを使用してもよい。ディスプレイ２７は、再生モードにおいてメモリーカード１４に記憶された画像を再生表示する他、セットアップモードにおいて各種設定を行う設定画面を表示するために用いられる。
【００２０】
モードレバー２８は、撮影が行われる撮影モードと、画像再生が行われる再生モードとを切り替える操作部材である。汎用キー２９は、異なる種類の複数の操作を行うための操作部材であり、上下左右に配置された４つのキー２９ａ，２９ｂ，２９ｃ，２９ｄからなる。撮影モードにおいては、上下の２つのキー２９ａ，２９ｃがズームボタンとして機能する。キー２９ｂは、ストロボ装置の発光モードを選択する選択キーとして機能する。ストロボ装置の動作モードには、赤目現象を軽減する赤目軽減モード，被写体輝度に関わらず強制的に発光させる強制発光モード，強制的にストロボ発光を禁止する発光禁止モードなどがある。キー２９ｂを押下していくと、これら複数の発光モードが順次切り替えられる。
【００２１】
また、汎用キー２９は、ディスプレイ２７に表示されたカーソルを移動するカーソル移動キーとして機能する。ディスプレイ２７に表示された設定画面で各種設定を行う場合には、汎用キー２９により画面内のカーソルを移動させて設定項目の選択がなされる。また、ディスプレイ２７に画像を再生表示する場合には、表示するコマの選択が行われる。確定／実行ボタン３１は、選択された項目やコマを確定する際に使用される。
【００２２】
汎用キー２９の内側には、インジケータ３２が設けられており、このインジケータ３２には、選択されている撮影モードや、ストロボの発光モードなどが表示される。図４に示すように、インジケータ３２は、撮影モード表示領域３２ａと、発光モード表示領域３２ｂとに区画されており、これらの領域３２ａ，３２ｂには各々のモードの表示がなされる。撮影者は、撮影モード選択ダイヤル１８の位置やこのインジケータ３２のモード表示により、現在選択されている撮影モードを確認することができる。
【００２３】
デジタルカメラ１０は、本体に内蔵された時計回路から取得される日時データに基づいて、実際の撮影シーンに応じた適切な撮影モードを特定する機能を備えている。レリーズボタン１７が半押しされると、撮影モード選択ダイヤル１８の選択位置から現在選択されている撮影モードを検出し、特定された撮影モードと、選択されたモードとが一致しているかどうかが調べられる。不一致の場合には、図５に示すように、例えば、「撮影モードの選択が不適切です」といった警告メッセージを、ＥＶＦ２６に表示する。この警告表示により、撮影モードの誤選択が防止される。
【００２４】
しかし、撮影者が撮影シーンと適合しない撮影モードを意図的に選択している場合もある。そこで、そのような撮影者の意図を尊重できるように、デジタルカメラ１０では、不適切な撮影モードでも撮影が実行できるようにしている。ＥＶＦ２６には、前記警告表示とともに、例えば、「レリーズボタンを全押しするとこのモードで撮影されます」といった確認メッセージが表示される。この案内に従って、レリーズボタン１７を全押しすると、適切な撮影モードと一致していなくても、選択された撮影モードが確定し、そのモードでの撮影が実行される。
【００２５】
図６は、本発明のデジタルカメラ１０の電気構成を示す。マイクロコンピュータ４１は、選択された各モードに応じて、操作部２５から入力されるコマンドに従って、デジタルカメラ１０の各部を制御する。レンズ鏡筒１２及び撮影レンズ１１は、駆動モータ４２によって駆動され、レンズ鏡筒１２の繰り出し及び沈胴や、焦点調節が行われる。マイクロコンピュータ４１は、モータドライバ４３を介して駆動モータ４２の回転量を制御する。絞り４４は、図示しないＡＥ制御回路によって駆動される。
【００２６】
撮影レンズ１１の背後には、ＣＣＤイメージセンサ４６が配置されている。ＣＣＤイメージセンサ４６は、周知のように、多数の受光素子をマトリックス状に配列することにより光電面が形成されており、この光電面に結像した被写体光を光電変換する。光電面の前方には、各画素に光を集光するためのマイクロレンズアレイと、各画素がそれぞれＲ，Ｇ，Ｂのいずれかに対応するように各色のフイルタが規則的に配列されたカラーフイルタアレイとが配置されている。
【００２７】
ＣＣＤイメージセンサ４６は、ＣＣＤドライバ４７によって駆動される。ＣＣＤイメージセンサ４６の電荷蓄積時間（露出時間）は、ＣＣＤドライバ４７から供給される電子シャッタ駆動信号に応じて決められる。そして、ＣＣＤドライバ４７から供給される垂直転送クロック及び水平転送クロックに同期して、画素毎に蓄積された電荷が１ラインずつシリアルな撮像信号として出力される。
【００２８】
マイクロコンピュータ４１には、各撮影モードに応じた撮影条件データを記憶した撮影条件設定用ＬＵＴ４８が接続されている。撮影時には、このＬＵＴ４８が参照されて、ＣＣＤイメージセンサ４６の電荷蓄積時間や、絞り値が決定される。また、マイクロコンピュータ４１は、ＣＣＤイメージセンサ４６によって得られた撮像信号に基づいて焦点位置を検出し、撮影レンズ１１の移動量を決定する。焦点検出方式としては、例えば、ピントが合った状態では撮像信号の高周波成分が最も大きくなるという特徴を利用して合焦位置を検出するパッシブ方式が採用されている。
【００２９】
ＣＣＤイメージセンサ４６から出力された撮像信号は、相関二重サンプリング処理によってノイズが除去されるとともにアンプ５１によって増幅された後、Ａ／Ｄコンバータ５２に入力される。Ａ／Ｄコンバータ５２は撮像信号をデジタル変換して画像データを生成し、これを順次に画像データ処理回路に入力する。画像データ処理回路５３は、入力された画像データに対して、マトリックス演算処理，ホワイトバランス調節，ガンマ補正などの画像処理を施す。この画像処理においても、マイクロコンピュータ４１に接続された画像処理条件設定用ＬＵＴ５４が参照されて、上述の各撮影モードに応じた適切な画像処理が施される。
【００３０】
画像処理済みの画像データは、フレームメモリ５６に一時的に記憶される。ＥＶＦ２６には、このフレームメモリ５６に記憶された画像データが出力されてスルー画が表示される。レリーズボタン１７が全押しされると、フレームメモリ５６に書き込まれた画像データが圧縮伸張回路５７へ送られる。圧縮伸張回路５７は、画像データに対して圧縮処理を施し、これをリードライト回路５８へ出力する。リードライト回路５８は、圧縮された画像ファイルをメモリーカード１４へ書き込む。再生モードにおいては、リードライト回路５８がメモリーカード１４から画像ファイルを読み出した後、圧縮伸張回路５７によって伸張処理がなされた後、ディスプレイ２７に出力される。
【００３１】
ストロボ装置５９は、ストロボ発光部１３と、メインコンデンサ，トリガー回路を含む回路基板とから構成される。ストロボ装置５９は、選択された発光モードに応じて動作する。
【００３２】
時計回路６０は、日付及び日時の計時信号を発振して、マイクロコンピュータ４１に出力する。この日時データは、付加データとして画像ファイルに出力される。また、時間帯ＬＵＴ６１には、図７に示すように、日中撮影モード及び夜間撮影モードの各撮影モードに対応して、それぞれが選択されるのが適切と考えられる時間帯が記憶されている。日中撮影モードに対応する時間帯は、例えば、７：００〜１６：００に設定されており、夜間撮影モードに対応する時間帯は、例えば、１８：００〜４：００に設定される。日没の時間帯や日の出の時間帯は、季節に応じて変化するので、各季節毎に時間帯データを記憶しておいてもよい。
【００３３】
マイクロコンピュータ４１は、時計回路６０により得られた時間データに基づいて、日中撮影モード，夕暮れ撮影モード，夜間撮影モードの各撮影モードのうち、適切な撮影モードを特定する。時間データが日中撮影モード及び夜間撮影モードのいずれにも該当しない場合には、適切な撮影モードとして、夕暮れ／夜明けモードを特定する。この特定された撮影モードと、撮影モード選択ダイヤル１８によって選択された撮影モードとを比較して、両者が一致しているか否かを調べ、不一致と判定した場合には、ＥＶＦ２６に警告メッセージを表示する。
【００３４】
以下、上記構成による作用について図８に示すフローチャートに従って説明する。デジタルカメラ１０で撮影をする場合、撮影者は、撮影モード選択ダイヤル１８を操作して、撮影シーンに応じて撮影モードを選択する。撮影者は、ＥＶＦ２６を覗いてフレーミングを行った後、レリーズボタン１７を半押しする。レリーズボタン１７が半押しされると、測光及び焦点調節が行われるとともに、マイクロコンピュータ４１は、時計回路６０から取得した時間データに基づいて、撮影シーンに応じた適切な撮影モードを特定する。
【００３５】
この特定された撮影モードと選択された撮影モードが一致していない場合には、ＥＶＦ２６に警告メッセージを表示する。撮影者は、撮影モードを誤選択している場合には、この警告メッセージにより、撮影モードを選択し直す。これにより、不適切な撮影モードが選択されたまま撮影が実行されてしまうことが防止される。撮影シーンに応じた撮影条件で撮影が行われるとともに、得られた画像データに対しては、撮影シーンに応じた適切な画像処理が施される。
【００３６】
また、撮影者が不適切な撮影モードを意図的に選択している場合には、確認メッセージにしたがって、そのままレリーズボタン１７を全押しすると、選択された撮影モードで撮影が実行される。画像データは、撮影モードに応じた画像処理が施された後、付加情報（日付データや撮影モード情報）とともに、メモリーカード１４に記録される。引き続き撮影をする場合には、上記手順が繰り返される。
【００３７】
メモリーカード１４に記録された画像をプリントする場合には、プリンタは、画像ファイル内の撮影モード情報を参照して、その撮影モードに応じた適切な画像処理を施す。このため、良好なプリントが得られる。
【００３８】
また、図９のフローチャートに示すように、撮影モード選択ダイヤルによって選択された撮影モードと、撮影シーンに応じて特定された撮影モードとが一致しない場合には、特定された（適切な）撮影モードへ自動的に切り替え処理をしてもよい。例えば、撮影モード選択ダイヤルで夜間撮影モードが選択されている状態で、日中の時間帯に撮影が行われるような場合には、撮影モード選択ダイヤルの選択位置に関わらず、マイクロコンピュータ４１が自動的に日中撮影モードへ切り替え処理を行ってそのモードで撮影を行う。
【００３９】
また、図１０のフローチャートに示すように、撮影モード選択ダイヤルによって選択された撮影モードと、特定された適切な撮影モードとが不一致と判定された場合に、それらにどの程度のズレがあるかという不一致レベルを調べ、その不一致レベルが予め設定された所定範囲外にある場合に、適切な撮影モードへの切り替え処理を自動的に実行するようにしてもよい。
【００４０】
例えば、ズレの許容範囲（所定範囲）を１時間に設定しておく。そして、撮影モード選択ダイヤル１８で夜間モードが選択されている状態で、１７：３０に撮影をするような場合に、適切な撮影モードである夕暮れ／夜明けモードとのズレは１時間以内であるので、この場合には、不一致レベルは所定範囲内であると判定し、選択された撮影モード（夜間撮影モード）で撮影を実行する。他方、夜間モードが選択されている状態で、撮影時刻が１６：３０の場合には、不一致レベルは所定範囲外であると判定し、適切な撮影モード（夕暮れ／夜明けモード）への切り替え処理を実行し、そのモードで撮影が実行される。
【００４１】
上記実施形態では、異なる撮影シーンに対応する複数の撮影モードとして、異なる複数の時間帯に対応する複数の撮影モードを設け、これら複数の撮影モードの中から、日時データを基に適切な撮影モードを特定し、この特定された撮影モードと撮影モード選択ダイヤルによって選択された撮影モードとが一致するかどうかを判定する例で説明しているが、異なる撮影シーンに対応する複数の撮影モードとしては、時間帯に対応する複数の撮影モードの他に各種の撮影モードが考えられる。
【００４２】
例えば、屋外撮影に適した屋外撮影モードと、屋内撮影に適した屋内撮影モードを設け、これら異なる撮影シーンに応じて適切な撮影モードを特定し、その撮影モードと選択された撮影モードとが一致するかどうかを判定するようにしてもよい。この場合には、例えば、ＧＰＳ（Ｇｌｏｂａｌ　Ｐｏｓｉｔｉｏｎｉｎｇ　Ｓｙｓｔｅｍ　）　を利用して、撮影場所のエリア情報を取得し、そのエリア情報に基づいて撮影場所が屋内であるか屋外であるかを調べることにより適切な撮影モードを特定し、選択された撮影モードとの不一致を判定する。この場合には、デジタルカメラにＧＰＳを利用するためのエリア情報受信装置を設ける必要がある。
【００４３】
また、異なる撮影シーンに対応する複数の撮影モードとして、被写体種別に応じた風景撮影モードや人物撮影モードを設けてもよい。この場合には、例えば、焦点検出装置により、主要被写体の距離を測定し、測定された距離に応じて被写体種別を調べる。すなわち、距離が所定距離内であれば、被写体が人物であると判定し、距離が所定距離よりも遠い場合には、被写体が風景であると判定する。そして、判定された被写体に応じて適切な撮影モードを特定し、この特定された撮影モードと、撮影モード選択ダイヤルによって選択された撮影モードとが一致しているかどうかを調べる。
【００４４】
なお、上記実施形態では、各撮影シーンに特化した撮影モードのみを設けた例で説明しているが、これらの他に、例えば、複数の撮影シーンに対応可能な標準撮影モードを設けてもよい。この標準撮影モードでは、複数の撮影シーンに対応できるように、標準的な撮影条件が設定されるとともに、画像処理に関しても標準的な処理が施される。
【００４５】
なお、警告としては、警告メッセージの代わりに、警告ランプを使用してもよいし、音声を使用してもよい。
【００４６】
【発明の効果】
以上詳細に説明したように、本発明は、撮影シーンに応じた複数の撮影モードを備えたデジタルカメラにおいて、撮影モード選択手段によって選択された撮影モードと、実際に撮影される撮影シーンに応じて特定された適切な撮影モードとが一致しているかどうかを調べ、両者が不一致の場合には、警告を発するか、または、適切な撮影モードに自動的に切り替えるようにしたから、撮影モードの誤選択を防止することができる。
【図面の簡単な説明】
【図１】デジタルカメラの前面斜視図である。
【図２】撮影モード選択ダイヤルの説明図である。
【図３】デジタルカメラの背面図である。
【図４】インジケータの説明図である。
【図５】警告メッセージの説明図である。
【図６】電気構成を示すブロック図である。
【図７】時間帯ＬＵＴに記憶された内容を示す説明図である。
【図８】撮影手順を示すフローチャートである。
【図９】適切な撮影モードへの切り替え処理を自動的に行う例のフローチャートである。
【図１０】不一致レベルを調べ、ズレが所定範囲外のときに適切な撮影モードへの切り替え処理を行う例のフローチャートである。
【符号の説明】
１０　デジタルカメラ
１７　レリーズボタン
１８　撮影モード選択ダイヤル
２７　ディスプレイ
３２　インジケータ
４１　マイクロコンピュータ
６０　時計回路
６１　時間帯ＬＵＴ
【図１】
2004061621.tif 000003
【図２】
2004061621.tif 000004
【図３】
2004061621.tif 000005
【図４】
2004061621.tif 000006
【図５】
2004061621.tif 000007
【図６】
2004061621.tif 000008
【図７】
2004061621.tif 000009
【図８】
2004061621.tif 000010
【図９】
2004061621.tif 000011
【図１０】
2004061621.tif 000012